(57)【要約】      （修正有）【課題】位置決めリブの配置、数及び形状の自由度が大きくなり、位置決めリブの加工精度が多少低くてもカセットを安定かつバランス良く収納することができ、また、テープカセットの意匠自由度が高まり、デザイン性及び成形性に優れたカセット収納ケースを提供する。【解決手段】テープカセットを収納するケース本体１１と、ケース本体に被せられる蓋体１２と、ケース本体及び蓋体を開閉可能に連結する連結部１３とを備えてなり、ケース本体が、ケース本体に収納されるテープカセットにおける少なくとも四隅部以外の位置でテープカセットに当接する位置決めリブ２３Ａ〜２３Ｈを有する。【選択図】図１
2008105677.tif 000002
【特許請求の範囲】
【請求項１】
テープカセットを収納するケース本体と、該ケース本体に被せられる蓋体と、前記ケース本体及び該蓋体を開閉可能に連結する連結部とを備えたカセット収納ケースであって、
前記ケース本体が、該ケース本体に収納される前記テープカセットにおける少なくとも四隅部以外の位置で該テープカセットに当接する位置決めリブを有することを特徴とするカセット収納ケース。
【請求項２】
位置決めリブが、収納されるテープカセットにおける四隅部のうちの１〜３つのいずれかの隅部にも設けられている請求項１に記載のカセット収納ケース。
【請求項３】
位置決めリブが、ケース本体の側壁から、収納されるテープカセットにおける四隅部以外の四辺のうちの少なくとも１つの辺に向かって延設されている請求項１から２のいずれかに記載のカセット収納ケース。
【請求項４】
位置決めリブが、収納されるテープカセットにおける互いに対向する位置に設けられている請求項１から３のいずれかに記載のカセット収納ケース。
【請求項５】
位置決めリブと、ケース本体の側壁との間に空隙を有する請求項１から４のいずれかに記載のカセット収納ケース。
【請求項６】
位置決めリブとケース本体とが係合可能であり、該位置決めリブと該ケース本体とを係合させることにより該位置決めリブが該ケース本体に取り付け可能であり、
該位置決めリブと該ケース本体との係合を解除することにより該位置決めリブが該ケース本体から取り外し可能である請求項１から５のいずれかに記載のカセット収納ケース。
【請求項７】
位置決めリブが、収納されるテープカセットにおけるテープ開口部及びその近傍を封鎖可能に設けられている請求項１から６のいずれかに記載のカセット収納ケース。
【請求項８】
位置決めリブの形状が、略Ｌ字形状、略Ｔ字形状、及び略Ｕ字形状のいずれかである請求項１から７のいずれかに記載のカセット収納ケース。
【発明の詳細な説明】
【技術分野】
【０００１】
本発明は、放送局等で使用される小型のテープカセットを収納するのに好適に用いられるカセット収納ケースに関する。
【背景技術】
【０００２】
一般に、放送局等で用いられるテープカセットは、市販のビデオテープカセットなどに比べて大型で重量が大きいため、落下時にはテープカセットにかかる衝撃が大きく、テープカセットの損傷の原因となる。このため、テープカセットが衝撃によって損傷することを防ぐため、保管や搬送時には専用の合成樹脂製の大型カセット収納ケースに収納されている。
また、最近の録画取材専用テレビカメラには、携帯性の良好な小型デジタルビデオカメラが使用されるようになってきている。このような携帯用デジタルビデオカメラに装填して用いられる小型デジタルビデオカセット（ＤＶ）としては、収録時間の異なる複数種のサイズがあり、それぞれ専用のテープカセット収納ケースに収納して市販されている。この小型テープカセット収納ケースは、金型製作コストを抑える目的で、大型カセット収納ケース用金型を転用して小型カセット収納ケース用金型を作製し、この金型を用いて製造されている。
このような小型カセット収納ケースとしては、例えば、図１６及び図１７に示すものがある（特許文献１参照）。
【０００３】
図１６はカセット収納ケース１０の全体斜視図、図１７はその平面図である。このカセット収納ケース１０は、テープカセットが収納されるケース本体１１と、このケース本体１１に被せられる蓋体１２と、ケース本体１１と蓋体１２とを開閉可能に連結する連結部１３とを備えている。
【０００４】
ケース本体１１は略長方形状の底板部２１を有しており、この底板部２１には、その周縁に沿って４つの側壁２２ｆ，２２ｂ，２２ｓ及び２２ｓがそれぞれ連続的に立設されている。
側壁２２ｆ，２２ｂ，２２ｓによって囲まれる領域の底板部２１上には、テープカセットを収納する収納部を形成するための略Ｌ字形状の位置決めリブ２３Ａ，２３Ｂ，２３Ｃ及び２３Ｄが立設されている。
これら位置決めリブ２３Ａ〜２３Ｄは、収納されるテープカセットの四隅部に対応する位置に、底板部２１に一体形成されている。このように位置決めリブが四隅部にあると、テープカセットの角部が尖った形状であると収納しづらく、該位置決めリブには高い加工精度が必要となる。また、四隅部の位置決めリブに合わせてテープカセット形状を調整するため、テープカセットの意匠自由度が低くなり、デザイン性に劣るという課題がある。また、略Ｌ字形状の位置決めリブ２３Ａ〜２３Ｄには、該位置決めリブの内方への反り及び変形を防止するため、位置決めリブのそれぞれの端縁からケース本体の側壁に向かって補助リブ５４Ａ，５４Ｂが延設されている。その結果、位置決めリブ及び補助リブを含むリブ全体が複雑な形状となり、成形性及び離型性が低下し、金型の作製に手間がかかるという問題がある。
【０００５】
【特許文献１】特開２００４−３０６９６６号公報
【発明の開示】
【発明が解決しようとする課題】
【０００６】
本発明は、従来における前記諸問題を解決し、以下の目的を達成することを課題とする。即ち、本発明は、収納されるテープカセットの少なくとも四隅部以外の位置で位置決めを行うことにより、位置決めリブの配置、数及び形状の自由度が大きくなり、位置決めリブの加工精度が多少低くてもテープカセットを安定かつバランス良く収納することができ、また、テープカセットの意匠自由度が高まり、デザイン性及び成形性に優れたカセット収納ケースを提供することを目的とする。
【課題を解決するための手段】
【０００７】
前記課題を解決するための手段としては、以下の通りである。即ち、
＜１＞  テープカセットを収納するケース本体と、該ケース本体に被せられる蓋体と、前記ケース本体及び前記蓋体を開閉可能に連結する連結部とを備えたカセット収納ケースであって、
前記ケース本体が、該ケース本体に収納される前記テープカセットにおける少なくとも四隅部以外の位置で該テープカセットに当接する位置決めリブを有することを特徴とするカセット収納ケースである。
該カセット収納ケースにおいては、前記テープカセットは、ケース本体に該テープカセットを収納する際、位置決めリブによって区画形成される収納部に収納される。前記位置決めリブがケース本体に収納される前記テープカセットにおける少なくとも四隅部以外の位置で該テープカセットに当接するので、位置決めリブの配置、数及び形状の自由度が大きくなり、位置決めリブの加工精度が多少低くてもテープカセットを問題なく収納することができる。また、前記位置決めリブを成形し易く、離型も容易であり、テープカセットの意匠自由度が高まり、デザイン性及び成形性が向上する。
＜２＞  位置決めリブが、収納されるテープカセットにおける四隅部のうちの１〜３つのいずれかの隅部にも設けられている前記＜１＞に記載のカセット収納ケースである。
該カセット収納ケースにおいては、収納されるテープカセットにおける四隅部のうちの１〜３つのいずれかの隅部と、四隅部以外の位置とに位置決めリブを設けることにより、従来の四隅部のみに位置決めリブを設けたものに比べて、テープカセットを安定かつバランスよく収納することができる。
＜３＞  位置決めリブが、ケース本体の側壁から、収納されるテープカセットにおける四隅部以外の四辺のうちの少なくとも１つの辺に向かって延設されている前記＜１＞から＜２＞のいずれかに記載のカセット収納ケースである。
該カセット収納ケースにおいては、前記位置決めリブが、ケース本体の側壁から、収納されるテープカセットにおける四隅部以外の四辺のうちの少なくとも１つの辺に向かって延設されているので、位置決めリブのテープカセットに対する当接強度が向上し、位置決めリブを成形することも容易である。
＜４＞  位置決めリブが、収納されるテープカセットにおける互いに対向する位置に設けられている前記＜１＞から＜３＞のいずれかに記載のカセット収納ケースである。
該カセット収納ケースにおいては、位置決めリブが、収納されるテープカセットにおける互いに対向する位置に設けられているので、更に安定かつバランス良くテープカセットを収納することができる。
＜５＞  位置決めリブと、ケース本体の側壁との間に空隙を有する前記＜１＞から＜４＞のいずれかに記載のカセット収納ケースである。
該カセット収納ケースにおいては、位置決めリブがケース本体と分断されているので、位置決めリブの当接強度が適切な状態に調整することができ、位置決めリブをケース本体から着脱可能とすることができる。
＜６＞  位置決めリブとケース本体とが係合可能であり、該位置決めリブと該ケース本体とを係合させることにより該位置決めリブが該ケース本体に取り付け可能であり、
該位置決めリブと該ケース本体との係合を解除することにより該位置決めリブが該ケース本体から取り外し可能である前記＜１＞から＜５＞のいずれかに記載のカセット収納ケースである。
該カセット収納ケースにおいては、位置決めリブとケース本体の係合手段の働きにより、位置決めリブがケース本体と着脱可能であるため、自由に位置決めリブの数、位置を調整することができる。
＜７＞  位置決めリブが、収納されるテープカセットにおけるテープ開口部及びその近傍を封鎖可能に設けられている前記＜１＞から＜６＞のいずれかに記載のカセット収納ケースである。
該カセット収納ケースにおいては、位置決めリブが収納されるテープカセットにおけるテープ開口部及びその近傍に当接し、密閉するので防塵性を向上させることができる。
＜８＞  位置決めリブの形状が、略Ｌ字形状、略Ｔ字形状、及び略Ｕ字形状のいずれかである前記＜１＞から＜７＞のいずれかに記載のカセット収納ケースである。
該カセット収納ケースにおいては、位置決めリブを収納されるテープカセットにおける四隅部以外の位置に設けることができるので、位置決めリブの形状の選択自由度が広がり、成形しやすく、充分な当接力を有する略Ｌ字形状、略Ｔ字形状、及び略Ｕ字形状のいずれを採用することができる。
【発明の効果】
【０００８】
本発明によると、従来における問題を解決することができ、収納されるテープカセットの少なくとも四隅部以外の位置で位置決めを行うことにより、位置決めリブの配置、数及び形状の自由度が大きくなり、位置決めリブの加工精度が多少低くてもテープカセットを安定かつバランス良く収納することができ、また、テープカセットの意匠自由度が高まり、デザイン性及び成形性に優れたカセット収納ケースを提供することができる。
【発明を実施するための最良の形態】
【０００９】
本発明のカセット収納ケースは、ケース本体と、蓋体と、連結部とを有してなり、更に必要に応じてその他の部材を有してなる。
【００１０】
＜ケース本体＞
前記ケース本体は、テープカセットを収納することができれば特に制限はなく、目的に応じてその形状、構造、大きさ、材料などについては適宜選択することができる。
【００１１】
前記ケース本体の形状としては、特に制限はなく、収納するテープカセットの形状に応じて適宜選択することができ、例えば略長方形、略正方形などが挙げられる。
前記ケース本体の材料としては、特に制限はなく、目的に応じて適宜選択することができ、例えば、例えば、金属、プラスチック、紙、などが挙げられる。これらの中でも、成形性及び耐衝撃性に優れている点からプラスチックが特に好ましい。
前記金属としては、加工性のよいものが好ましく、例えば鉄、アルミニウム、黄銅、銅、ステンレススチールなどが挙げられる。これらは、１種単独で使用してもよいし、２種以上を併用してもよい。
【００１２】
前記プラスチックとしては、成形性及び耐衝撃性に優れているものが好ましく、例えばポリエチレンテレフタレート樹脂、ポリエチレン樹脂、ポリプロピレン樹脂、ポリスチレン樹脂、ポリエチレン樹脂、ポリカーボネート樹脂、ＡＢＳ樹脂、ポリ塩化ビニル樹脂、（メタ）アクリル樹脂、ナイロン、アルキッド樹脂、ポリブチレンテレフタレート樹脂、フッ素系樹脂、シリコーン系樹脂などが挙げられる。これらは、１種単独で使用してもよいし、２種以上を併用してもよい。これらの中でも、材料の入手が容易であると共に、廃品となった後の回収、又は再利用が可能で、成形性に優れている点から、ポリエチレン樹脂、ポリプロピレン樹脂が特に好ましい。
なお、前記プラスチックを使用する場合には、前記プラスチックに各種の繊維（ガラス繊維、カーボン繊維等）、充填剤（炭酸カルシウム、タルク、マイカ、クレー、カーボンナノチューブ、フラーレン等）などを配合することもできる。
【００１３】
前記紙としては、特に制限はなく、公知のものの中から目的に応じて適宜選択することができ、例えば、木材パルプ、古紙パルプなどが用いられる。前記木材パルプとしては、例えば、広葉樹晒クラフトパルプ（ＬＢＫＰ）、針葉樹晒クラフトパルプ（ＮＢＫＰ）、ＮＢＳＰ、ＬＢＳＰ、ＧＰ、ＴＭＰなどが挙げられる。
前記古紙パルプの原料としては、財団法人古紙再生促進センターの古紙標準品質規格表に示されている、上白、罫白、クリーム白、カード、特白、中白、模造、色白、ケント、白アート、特上切、別上切、新聞、雑誌などが挙げられる。具体的には、情報関連用紙である非塗工コンピュータ用紙、感熱紙、感圧紙等のプリンタ用紙；ＰＰＣ用紙等のＯＡ古紙；アート紙、コート紙、微塗工紙、マット紙等の塗工紙；上質紙、色上質、ノート、便箋、包装紙、ファンシーペーパー、中質紙、新聞用紙、更紙、スーパー掛け紙、模造紙、純白ロール紙、ミルクカートン等の非塗工紙；化学パルプ紙、高歩留りパルプ含有紙などが挙げられる。これらは、１種単独で使用してもよいし、２種以上を併用してもよい。
【００１４】
前記カセット収納ケースの成形方法としては、特に制限はなく、目的に応じて公知の方法の中から適宜選択することができ、材料としてプラスチックを用いた場合には、例えば、インフレーション成形、押出成形、射出成形、プレス成形、真空成形、ブロー成形、圧縮成形、トランスファ成形、カレンダー成形、スラッシュ成形、などが挙げられる。これらの中でも、射出成形が特に好ましい。
また、材料として紙を用いた場合には、例えば金型成型、注型成型、抜き型によりカットする方法などが挙げられる。
【００１５】
前記ケース本体の構造としては、特に制限はなく、目的に応じて適宜選択することができ、例えば、１種単独で形成されていてもよいし、２種以上の部材で形成されていてもよい。
【００１６】
前記ケース本体としては、特に制限はなく、目的に応じて適宜選択することができるが、例えば底板部と、該底板部の周縁部に沿って枠状に立設され、テープカセットを収納する収納部を形成する側壁と、位置決めリブとを有してなり、更に必要に応じてその他の部材を有してなる。
【００１７】
−底板部−
前記底板部としては、特に制限はなく、目的に応じてその形状、大きさ、材料、構造などについては適宜選択することができる。
前記底板部の形状としては、例えば略長方形、正方形、矩形、などが挙げられる。
前記底板部の構造としては、特に制限はなく、目的に応じて適宜選択することができ、例えば１種単独で形成されていてもよいし、２種以上の部材で形成されていてもよい。
前記底板部の材料としては、特に制限はなく、目的に応じて適宜選択することができるが、前記ケース本体と同じ材料が好適であり、前記底板部は、前記ケース本体が成型されるときに同時に成型されることが好ましい。
【００１８】
−側壁−
前記側壁としては、特に制限はなく、目的に応じてその形状、大きさ、材料、構造などについては適宜選択することができるが、底板部の周縁に沿って４つの側壁がそれぞれ連続的に立設されており、これら側壁に囲まれた領域にテープカセットが収納されるものが好ましい。
前記側壁の形状としては、例えば略長方形、正方形、矩形、などが挙げられる。
前記側壁の構造としては、特に制限はなく、目的に応じて適宜選択することができ、例えば１種単独で形成されていてもよいし、２種以上の部材で形成されていてもよい。
前記側壁の材料としては、特に制限はなく、目的に応じて適宜選択することができるが、前記ケース本体と同じ材料が好適であり、前記側壁は、前記ケース本体が成型されるときに同時に成型されることが好ましい。
【００１９】
−位置決めリブ−
前記位置決めリブは、前記ケース本体に収納される前記テープカセットにおける少なくとも四隅部以外の位置で該テープカセットに当接するものであれば特に制限はなく、目的に応じてその形状、構造、材料、大きさ、数、位置などは適宜選択することができる。
【００２０】
前記位置決めリブの構造としては、特に制限はなく、目的に応じて適宜選択することができ、例えば１種単独で形成されていてもよいし、２種以上の部材で形成されていてもよい。
前記位置決めリブの材料としては、特に制限はなく、目的に応じて適宜選択することができるが、前記ケース本体と同じ材料が好適であり、前記位置決めリブは、前記ケース本体が成型されるときに同時に成型されることが好ましい。
前記位置決めリブの大きさとしては、特に制限はなく、収納されるテープカセットの大きさに応じて適宜選定することができる。
前記位置決めリブの数としては、特に制限はなく、目的に応じて適宜選択することができ、例えば、４つ以上が好ましく、４〜１０つがより好ましい。
前記位置決めリブの位置としては、収納されるテープカセットにおける少なくとも四隅部以外の位置であれば特に制限はなく、目的に応じて適宜選択することができ、例えば（１）収納されるテープカセットにおける四隅部以外の四辺のうちの少なくとも１つの辺、（２）四隅部以外の四辺のうちの少なくとも１つの辺と、収納されるテープカセットにおける四隅部のうちの１つの隅部、四隅部のうちの２つの隅部、及び四隅部のうちの３つの隅部のいずれかとの組み合わせ、などが挙げられる。
【００２１】
前記位置決めリブが、収納されるテープカセットにおける互いに対向する位置に設けられていることが好ましい。例えば収納されるテープカセットの長手方向及び短手方向の少なくともいずれかに対向して設けられる。これにより、更に安定かつバランス良くテープカセットを収納することができる。
前記位置決めリブと、ケース本体の側壁との間に空隙を有することが好ましい。これにより、位置決めリブとケース本体とが分断され、位置決めリブのテープカセットへの当接強度を適度に調整することができ、位置決めリブをケース本体から着脱可能とすることができる。
また、前記位置決めリブとケース本体とが係合可能であり、該位置決めリブと該ケース本体とを係合させることにより該位置決めリブが該ケース本体に取り付け可能であり、
該位置決めリブと該ケース本体との係合を解除することにより該位置決めリブが該ケース本体から取り外し可能である。前記係合手段としては、例えば、位置決めリブ及びケース本体に互いに係合可能な凹部と凸部とを設ける方法などが挙げられる。
このように位置決めリブがケース本体に着脱可能であるため、収納されるテープカセットに応じて、自由に位置決めリブの数、位置を調整することができる。
【００２２】
また、前記位置決めリブは、収納されるテープカセットにおけるテープ開口部及びその近傍を封鎖可能（密閉可能）に設けられること好ましい。これにより、収納されるテープカセットにおけるテープ開口部及びその近傍に当接して、密閉するので防塵性を向上させることができる。
前記位置決めリブの形状としては、特に制限はなく、目的に応じて適宜選択することができるが、略Ｌ字形状、略Ｔ字形状、略Ｕ字形状、収納されるテープカセットの四隅部以外の４辺に当接する平板と該平板を支持する脚部とからなるもの、などが挙げられる。
【００２３】
＜蓋体＞
前記蓋体は、前記ケース本体に被せられることができれば特に制限はなく、目的に応じてその形状、構造、大きさ、材料、などについては適宜選択することができる。
【００２４】
前記蓋体の形状としては、特に制限はなく、前記ケース本体の形状に応じて適宜選択することができ、例えば略長方形、略正方形などが挙げられる。
前記蓋体の材料としては、特に制限はなく、目的に応じて適宜選択することができ、前記ケース本体と同じ材料が好適である。
前記蓋体の構造としては、特に制限はなく、目的に応じて適宜選択することができ、例えば１種単独で形成されていてもよいし、２種以上の部材で形成されていてもよい。
【００２５】
前記蓋体としては、特に制限はなく、目的に応じて適宜選択することができるが、例えば天板部と、該天板部の周縁部を囲繞するように立設され、前記ケース本体の側壁の外側に嵌合可能な形状とされた側壁とを有してなり、更に必要に応じてその他の部材を有してなる。
【００２６】
−天板部−
前記天板部としては、特に制限はなく、目的に応じてその形状、大きさ、材料、構造などについては適宜選択することができる。
前記天板部の形状としては、例えば略長方形、正方形、矩形、などが挙げられる。
前記天板部の構造としては、特に制限はなく、目的に応じて適宜選択することができ、例えば１種単独で形成されていてもよいし、２種以上の部材で形成されていてもよい。
前記天板部の材料としては、特に制限はなく、目的に応じて適宜選択することができるが、前記蓋体と同じ材料が好適であり、前記天板部は、前記蓋体が成型されるときに同時に成型されることが好ましい。
【００２７】
−側壁−
前記側壁としては、特に制限はなく、目的に応じてその形状、大きさ、材料、構造などについては適宜選択することができるが、天板部の周縁に沿って４つの側壁がそれぞれ連続的に立設されており、これら側壁に囲まれた領域にテープカセットが収納されるものが好ましい。
前記側壁の形状としては、例えば略長方形、正方形、矩形、などが挙げられる。
前記側壁の構造としては、特に制限はなく、目的に応じて適宜選択することができ、例えば１種単独で形成されていてもよいし、２種以上の部材で形成されていてもよい。
前記側壁の材料としては、特に制限はなく、目的に応じて適宜選択することができるが、前記蓋体と同じ材料が好適であり、前記側壁は、前記蓋体が成型されるときに同時に成型されることが好ましい。
【００２８】
＜連結部＞
前記連結部は、前記ケース本体及び前記蓋体を開閉可能に連結することができれば特に制限はなく、目的に応じて形状、構造、大きさ、材料、などについては適宜選択することができる。
前記ケース本体と前記連結部との間はヒンジを介して開閉可能に連結されており、前記蓋体と前記連結部との間はヒンジを介して開閉可能に連結されている。
前記ヒンジとしては、前記連結部と前記ケース本体及び前記蓋体とを開閉可能に連結できれば特に制限はなく、公知のものの中から目的に応じて適宜選択することができる。
【００２９】
前記連結部の形状としては、特に制限はなく、目的に応じて適宜選択することができ、例えば略長方形、略正方形、略矩形などが挙げられる。
前記連結部の材料としては、特に制限はなく、目的に応じて適宜選択することができ、前記ケース本体と同じ材料が好適である。
前記連結部の構造としては、特に制限はなく、目的に応じて適宜選択することができ、例えば１種単独で形成されていてもよいし、２種以上の部材で形成されていてもよい。
【００３０】
＜その他の部材＞
前記その他の部材としては、特に制限はなく、目的に応じて適宜選択することができ、例えばケース本体の底板部の正面略中央部には、ヒンジを介してフラップ板が連結されている。このフラップ板は、蓋体の正面壁部に突設された係止部に係止される鉤部が設けられている。これにより、ケースを閉じた際、フラップ板を折り返して鉤部と係止部とを互いに係止させることによって、カセット収納ケースのサイドロック機能が得られることになる。
【００３１】
本発明のカセット収納ケースにおいては、位置決めリブがケース本体に収納される前記テープカセットにおける少なくとも四隅部以外の位置で該テープカセットに当接するので、位置決めリブの配置、数及び形状の自由度が大きくなり、位置決めリブの加工精度が多少低くても問題なくテープカセットを安定かつバランス良く収納することができる。また、前記位置決めは成形し易く、配置し易い位置に設けることができるので、テープカセットの意匠自由度が高まり、デザイン性及び成形性が向上する。
【実施例】
【００３２】
以下、本発明の実施例について図面を用いて具体的に説明するが、本発明はこれら実施例に何ら限定されるものではない。
【００３３】
図１は、本発明の一実施例に係るカセット収納ケース１０の全体平面図である。このカセット収納ケース１０は、図１６及び図１７に示す従来のカセット収納ケース１０と位置決めリブに関する部分以外は、基本的に共通する構成を有している。
【００３４】
このカセット収納ケース１０は、図１に示すように、テープカセットが収納されるケース本体１１と、このケース本体１１に被せられる蓋体１２と、ケース本体１１と蓋体１２とを開閉可能に連結する連結部１３とを備えている。ケース本体１１と連結部１３との間はヒンジ１４を介して開閉可能に連結されており、蓋体１２と連結部１３との間はヒンジ１５を介して開閉可能に連結されている。
【００３５】
ケース本体１１は、略長方形状の底板部２１を有しており、この底板部２１上に各種構造体が立ち上げ形成されている。
底板部２１には、その周縁に沿って４つの側壁２２ｆ，２２ｂ，２２ｓ及び２２ｓがそれぞれ連続的に立ち上がり形成されている。このうち、側壁２２ｆは正面壁部を構成し、側壁２２ｂは背面壁部を構成する。また、側壁２２ｓ，２２ｓは左右の側壁部を構成している。これらの側壁は互いに連続的に形成されている。
【００３６】
図１中、ケース本体１１の底板部２１の略中央部には、これに収納されるテープカセットのリールハブを受ける環状のハブ受けリブ２４、カセットシェルの下面を支持する放射状の支持リブ２５、カセットシェルの下面に穿設されているテープエンド検出用孔に嵌合する嵌合リブ２６、及び、テープカセットの収納姿勢方向を示す表示２７がそれぞれ設けられている。
【００３７】
ここで、ハブ受けリブ２４の高さは、カセット載置時、当該カセットの下シェルが支持リブ２５上端との間に一定の隙間が形成されるように設計されている。また、表示２７は、テープカセットの前方向が連結部１３側であることを示唆する矢印で構成されているが、特にこれに限定されることはない。例えば、テープカセットの正規の姿勢を模式的に示す図形表示で該表示２７を構成してもよい。
【００３８】
蓋体１２は略長方形状の天板部３１を有し、この天板部３１には、その周縁に沿って３つの側壁３２ｆ，３２ｓ及び３２ｓがそれぞれ連続的に立ち上がり形成されている。このうち、側壁３２ｆは、ケースを閉じた際にケースの正面壁部を構成し、３２ｓは左右の側壁部を構成する。これらの側壁３２ｆ，３２ｓは、ケースを閉じた際、ケース本体の側壁２２ｆ，２２ｓの外方側に位置するように構成されている。
【００３９】
天板部３１には、カセット収納時、テープカセットのカセットシェルの上面を押圧する押圧リブ３３，３４がそれぞれ設けられている。また、側壁３２ｆの内面側には、ケースを閉じた際、ケース本体１１の正面壁部２２ｆと蓋体１２の正面壁部３２ｆとの間の相対距離を規制する規制部３６が設けられている。
【００４０】
更に、蓋体１２の左右の側壁部３２ｓの内面側には、ケースを閉じた際、ケース本体１１の側壁部２２ｓに形成された係合孔２８に係合する係合凸部３５がそれぞれ設けられている。これら係合孔２８及び係合凸部３５によって、カセット収納ケース１０の側壁ロック部を構成している。なお、係合孔２８が設けられる側壁部２２ｓの上面には、係合凸部３５を係合孔２８へガイドするためのテーパ面２９が形成されている。
【００４１】
連結部１３には、ケースを閉じた際、ケース本体１１の背面壁部２２ｂの外面側に当接するストッパ３７が突設されている。このストッパ３７は、連結部１３とケース本体１１の背面壁部２２ｂとの間の最近接位置を規制する機能を有している。
【００４２】
ケース本体１１の底板部２１の正面略中央部には、ヒンジ４２を介してフラップ板４１が連結されている。このフラップ板４１には、蓋体１２の正面壁部３２ｆに突設された係止部４４に係止される鉤部４３が設けられている。これにより、ケースを閉じた際、フラップ板４１を折り返して鉤部４３と係止部４４とを互いに係止させることによって、カセット収納ケース１０のサイドロック機能が得られることになる。
【００４３】
次に、ケース本体の側壁によって囲まれる領域の底板部上には、テープカセットを収納する収納部を形成するための位置決めリブが立設されている。以下、テープカセットを収納する収納部を形成する位置決めリブについて詳細に説明する。
【００４４】
図１及びその拡大図である図２では、略Ｌ字形状の位置決めリブ２３Ａ〜２３Ｈが、ケース本体の側壁から、図中点線で表される収納されるテープカセットの四隅部以外の４辺に、それぞれ２つずつ、合計８つ延設されている。
位置決めリブ２３Ａ及び２３Ｈと、位置決めリブ２３Ｄ及び２３Ｅとは収納されるテープカセットの長手方向に互いに対向して設けられている。
位置決めリブ２３Ｂ及び２３Ｃと、位置決めリブ２３Ｇ及び２３Ｆとは収納されるテープカセットの短手方向に互いに対向して設けられている。
このように略Ｌ字形状の位置決めリブが、四隅以外の４辺からそれぞれ２つずつ、合計８つ、互いに対向して設けられているので、テープカセットを安定かつバランスよく収納することができる。
図１及び図２では、位置決めリブ２３Ａ〜２３Ｈは、いずれもケース本体の側壁と繋がって一体に形成されているので、成形性及び離型性に優れており、収納されるテープカセットに対し充分な当接強度を有している。
【００４５】
また、図３では、略Ｌ字形状の位置決めリブ２３Ａ〜２３Ｄが、ケース本体の側壁から、図中点線で表される収納されるテープカセットの四隅部以外の４辺に、それぞれ１つずつ、合計４つ延設されている。
図３では、位置決めリブ２３Ａ〜２３Ｄは、いずれもケース本体の側壁と繋がって一体に形成されているので、いずれもケース本体の側壁と繋がって一体に形成されているので、成形性及び離型性に優れており、収納されるテープカセットに対し充分な当接強度を有している。
このように略Ｌ字形状の位置決めリブの数を少なくすることにより、成形が更に容易となる。なお、位置決めリブの数を少なくしたことから、個々の位置決めリブのテープカセットと当接する部分の長さを長くし、位置決めリブの配置を調整している。
【００４６】
また、図４では、略Ｌ字形状の位置決めリブ２３Ａ〜２３Ｈが、ケース本体の側壁から、図中点線で表される収納されるテープカセットの四隅部以外の４辺に、それぞれ２つずつ、合計８つ延設されている。
位置決めリブ２３Ａ及び２３Ｈと、位置決めリブ２３Ｄ及び２３Ｅとは収納されるテープカセットの長手方向に互いに対向している。
位置決めリブ２３Ｂ及び２３Ｃと、位置決めリブ２３Ｇ及び２３Ｆとは収納されるテープカセットの短手方向に互いに対向している。
このように略Ｌ字形状の位置決めリブが、四隅以外の４辺からそれぞれ２つずつ、合計８つ、互いに対向して設けられているので、テープカセットを安定かつバランスよく収納することができる。
図４では、位置決めリブ２３Ａ〜２３Ｈは、いずれもケース本体の側壁との間に空隙を有している。これにより、位置決めリブの当接強度が強すぎないように調整することができる。また、位置決めリブをケース本体から着脱可能とすることができる。即ち、位置決めリブとケース本体とを係合可能に形成し、該位置決めリブと該ケース本体とを係合させることにより該位置決めリブが該ケース本体に取り付け可能とし、該位置決めリブと該ケース本体との係合を解除することにより該位置決めリブが該ケース本体から取り外し可能とすることができる。
【００４７】
図５では、略Ｔ字形状の位置決めリブ２３Ａ〜２３Ｈが、ケース本体の側壁から、図中点線で表される収納されるテープカセットの四隅部以外の４辺に、それぞれ２つずつ、合計８つ延設されている。この略Ｔ字形状の位置決めリブは、略Ｔ字形状の位置決めリブに比べて収納されるテープカセットと当接する部分を大きくすることができるので、更に安定かつバランス良くテープカセットを収納することができる。
位置決めリブ２３Ａ及び２３Ｈと、位置決めリブ２３Ｄ及び２３Ｅとは収納されるテープカセットの長手方向に互いに対向して設けられている。
位置決めリブ２３Ｂ及び２３Ｃと、位置決めリブ２３Ｇ及び２３Ｆとは収納されるテープカセットの短手方向に互いに対向して設けられている。
このように略Ｔ字形状の位置決めリブが、四隅以外の４辺からそれぞれ２つずつ、合計８つ、互いに対向して設けられているので、テープカセットを安定かつバランスよく収納することができる。
図５では、位置決めリブ２３Ａ〜２３Ｈは、いずれもケース本体の側壁と繋がって一体に形成されているので、いずれもケース本体の側壁と繋がって一体に形成されているので、成形性及び離型性に優れており、収納されるテープカセットに対し充分な当接強度を有している。
【００４８】
また、図６では、略Ｔ字形状の位置決めリブ２３Ａ〜２３Ｄが、ケース本体の側壁から、図中点線で表される収納されるテープカセットの四隅部以外の４辺に、それぞれ１つずつ、合計４つ延設されている。この略Ｔ字形状の位置決めリブは、略Ｔ字形状の位置決めリブに比べて収納されるテープカセットと当接する部分を大きくすることができるので、更に安定かつバランス良くテープカセットを収納することができる。
図６では、略Ｔ字形状の位置決めリブ２３Ａ〜２３Ｄは、いずれもケース本体の側壁と繋がって一体に形成されているので、成形が容易であり、充分な当接強度を有している。
このように略Ｔ字形状の位置決めリブの数を少なくすることにより、成形性及び離型性が更に容易となる。なお、位置決めリブの数を少なくしたことから、個々の位置決めリブのテープカセットと当接する部分の長さを長くし、位置決めリブの配置を調整している。
【００４９】
また、図７では、略Ｔ字形状の位置決めリブ２３Ａ〜２３Ｈが、ケース本体の側壁から、図中点線で表される収納されるテープカセットの四隅部以外の４辺に、それぞれ２つずつ、合計８つ延設されている。この略Ｔ字形状の位置決めリブは、略Ｔ字形状の位置決めリブに比べて収納されるテープカセットと当接する部分を大きくすることができるので、更に安定かつバランス良くテープカセットを収納することができる。
位置決めリブ２３Ａ及び２３Ｈと、位置決めリブ２３Ｄ及び２３Ｅとは収納されるテープカセットの長手方向に互いに対向している。
位置決めリブ２３Ｂ及び２３Ｃと、位置決めリブ２３Ｇ及び２３Ｆとは収納されるテープカセットの短手方向に互いに対向している。
このように略Ｔ字形状の位置決めリブが、四隅以外の４辺からそれぞれ２つずつ、合計８つ、互いに対向して設けられているので、テープカセットを安定かつバランスよく収納することができる。
図７では、位置決めリブ２３Ａ〜２３Ｈは、いずれもケース本体の側壁との間に空隙を有している。これにより、位置決めリブの当接強度が強すぎないように調整することができる。また、位置決めリブをケース本体から着脱可能とすることができる。即ち、位置決めリブとケース本体とを係合可能に形成し、該位置決めリブと該ケース本体とを係合させることにより該位置決めリブが該ケース本体に取り付け可能とし、該位置決めリブと該ケース本体との係合を解除することにより該位置決めリブが該ケース本体から取り外し可能とすることができる。
【００５０】
図８では、略Ｕ字形状の位置決めリブ２３Ａ〜２３Ｈが、ケース本体の側壁から、図中点線で表される収納されるテープカセットの四隅部以外の４辺に、それぞれ２つずつ、合計８つ延設されている。この略Ｕ字形状の位置決めリブは、略Ｌ字形状及び略Ｔ字形状の位置決めリブに比べて、ケース本体と接する部分が大きく、ケース本体と強固に設けられているので、更に安定かつバランス良くテープカセットを収納することができる。
位置決めリブ２３Ａ及び２３Ｈと、位置決めリブ２３Ｄ及び２３Ｅとは収納されるテープカセットの長手方向に互いに対向して設けられている。
位置決めリブ２３Ｂ及び２３Ｃと、位置決めリブ２３Ｇ及び２３Ｆとは収納されるテープカセットの短手方向に互いに対向して設けられている。
このように略Ｕ字形状の位置決めリブが、四隅以外の４辺からそれぞれ２つずつ、合計８つ、互いに対向して設けられているので、テープカセットを安定かつバランスよく収納することができる。
図８では、位置決めリブ２３Ａ〜２３Ｈは、いずれもケース本体の側壁と繋がって一体に形成されているので、いずれもケース本体の側壁と繋がって一体に形成されているので、成形性及び離型性に優れており、収納されるテープカセットに対し充分な当接強度を有している。
【００５１】
また、図９では、略Ｕ字形状の位置決めリブ２３Ａ〜２３Ｄが、ケース本体の側壁から、図中点線で表される収納されるテープカセットの四隅部以外の４辺に、それぞれ１つずつ、合計４つ延設されている。この略Ｕ字形状の位置決めリブは、略Ｌ字形状及び略Ｔ字形状の位置決めリブに比べて、ケース本体と接する部分が大きく、ケース本体と強固に設けられているので、更に安定かつバランス良くテープカセットを収納することができる。
図９では、略Ｕ字形状の位置決めリブ２３Ａ〜２３Ｄは、いずれもケース本体の側壁と繋がって一体に形成されているので、いずれもケース本体の側壁と繋がって一体に形成されているので、成形性及び離型性に優れており、収納されるテープカセットに対し充分な当接強度を有している。
このように略Ｕ字形状の位置決めリブの数を少なくすることにより、成形が更に容易となる。なお、位置決めリブの数を少なくしたことから、個々の位置決めリブのテープカセットと当接する部分の長さを長くし、位置決めリブの配置を調整している。
【００５２】
図１０では、略Ｕ字形状の位置決めリブ２３Ａ〜２３Ｈが、ケース本体の側壁から、図中点線で表される収納されるテープカセットの四隅部以外の４辺に、それぞれ２つずつ、合計８つ延設されている。この略Ｕ字形状の位置決めリブは、略Ｌ字形状及び略Ｔ字形状の位置決めリブに比べて、ケース本体と接する部分が大きく、ケース本体と強固に設けられているので、更に安定かつバランス良くテープカセットを収納することができる。
位置決めリブ２３Ａ及び２３Ｈと、位置決めリブ２３Ｄ及び２３Ｅとは収納されるテープカセットの長手方向に互いに対向している。
位置決めリブ２３Ｂ及び２３Ｃと、位置決めリブ２３Ｇ及び２３Ｆとは収納されるテープカセットの短手方向に互いに対向している。
このように略Ｕ字形状の位置決めリブが、四隅以外の４辺からそれぞれ２つずつ、合計８つ、互いに対向して設けられているので、テープカセットを安定かつバランスよく収納することができる。
図１０では、位置決めリブ２３Ａ〜２３Ｈは、いずれもケース本体の側壁との間に空隙を有している。これにより、位置決めリブの当接強度が強すぎないように調整することができる。また、位置決めリブをケース本体から着脱可能とすることができる。即ち、位置決めリブとケース本体とを係合可能に形成し、該位置決めリブと該ケース本体とを係合させることにより該位置決めリブが該ケース本体に取り付け可能とし、該位置決めリブと該ケース本体との係合を解除することにより該位置決めリブが該ケース本体から取り外し可能とすることができる。
【００５３】
図１１では、図中点線で表される収納されるテープカセットの四隅部以外の４辺に当接する平板と該平板を支持する脚部とからなる位置決めリブ２３Ａ〜２３Ｄが、合計４つ設けられている。
位置決めリブ２３Ａ及び２３Ｃは、平板を支持する脚部を２つ有し、これら２つの脚部はケース本体の側壁から延設されており、位置決めリブ２３Ａと、位置決めリブ２３Ｃとは収納されるテープカセットの長手方向に互いに対向して設けられている。
位置決めリブ２３Ｂ及び２３Ｄは、平板を支持する脚部を３つ有し、これら３つの脚部はケース本体の側壁から延設されており、位置決めリブ２３Ｂと、位置決めリブ２３Ｄとは収納されるテープカセットの短手方向に互いに対向して設けられている。
図１１では、位置決めリブ２３Ａ〜２３Ｄは、いずれも脚部がケース本体の側壁と繋がって一体に形成されており、収納されるテープカセットに対し充分な当接強度を有している。
また、図１１では、位置決めリブにおける平板が、収納されるテープカセットにおけるテープ開口部及びその近傍に当接して、密閉するので防塵性を向上させることができる。
【００５４】
図１２では、図中点線で表される収納されるテープカセットの四隅部以外の４辺に当接する平板と該平板を支持する脚部とからなる位置決めリブ２３Ａ〜２３Ｄが、合計４つ設けられている。
位置決めリブ２３Ａ及び２３Ｃは、平板を支持する脚部を２つ有し、これら２つの脚部はケース本体の側壁から延設されており、位置決めリブ２３Ａと、位置決めリブ２３Ｃとは収納されるテープカセットの長手方向に互いに対向して設けられている。
位置決めリブ２３Ｂ及び２３Ｄは、平板を支持する脚部を３つ有し、これら３つの脚部はケース本体の側壁から延設されており、位置決めリブ２３Ｂと、位置決めリブ２３Ｄとは収納されるテープカセットの短手方向に互いに対向して設けられている。
図１２では、位置決めリブ２３Ａ〜２３Ｄは、いずれも脚部がケース本体の側壁との間に空隙を有している。これにより、位置決めリブの当接強度が強すぎないように調整することができる。また、位置決めリブをケース本体から着脱可能とすることができる。即ち、位置決めリブとケース本体とを係合可能に形成し、該位置決めリブと該ケース本体とを係合させることにより該位置決めリブが該ケース本体に取り付け可能とし、該位置決めリブと該ケース本体との係合を解除することにより該位置決めリブが該ケース本体から取り外し可能とすることができる。
また、図１２では、位置決めリブにおける平板が、収納されるテープカセットにおけるテープ開口部及びその近傍に当接して、密閉するので防塵性を向上させることができる。
【００５５】
以上説明した略Ｌ字形状、略Ｔ字形状、及び略Ｕ字形状の位置決めリブは、それぞれ組み合わせて用いることができる。また、以下に説明するように、収納されるテープカセットにおける四隅部のうちの１つから３つのいずれかの隅部に設けた位置決めリブと組み合わせることもできる。
【００５６】
図１３は、図中点線で表される収納されるテープカセットにおける四隅部のうちの１つの隅部に位置決めリブ２３Ａを設け、四隅部以外の４辺に略Ｌ字形状の位置決めリブ２３Ｂ〜２３Ｇを合計６つ設けた例である。これにより、テープカセットを安定かつバランスよく収納することができる。
四隅部のうちの１つの隅部に設けられた位置決めリブ２３Ａの詳細については、特開２００４−３０６９６６号公報に記載されている。
なお、四隅のうちの１つの隅部の位置は適宜選択することができ、また収納されるテープカセットの四隅部以外に設ける位置決めリブの数、位置、形状などは適宜選定することができる。
【００５７】
図１４は、図中点線で表される収納されるテープカセットにおける四隅部のうちの２つの隅部に位置決めリブ２３Ａ、２３Ｄを設け、四隅部以外の４辺に略Ｌ字形状の位置決めリブ２３Ｂ、２３Ｃ、２３Ｅ、２３Ｆを合計６つ設けた例である。位置決めリブ２３Ａと２３Ｄとは互いに対向する位置に設けられている。これにより、テープカセットを安定かつバランスよく収納することができる。
四隅部のうちの２つの隅部に設けられた位置決めリブ２３Ａの詳細については、特開２００４−３０６９６６号公報に記載されている。
なお、四隅のうちの２つの隅部の位置は適宜選択することができ、また収納されるテープカセットの四隅部以外に設ける位置決めリブの数、位置、形状などは適宜選定することができる。
【００５８】
図１５は、図中点線で表される収納されるテープカセットにおける四隅部のうちの３つの隅部にも位置決めリブ２３Ａ、２３Ｂ，２３Ｃを設けた例である。位置決めリブ２３Ａと２３Ｃとは互いに対向する位置に設けられている。この図１５では、四隅部以外の２辺に略Ｌ字形状の位置決めリブ２３Ｄ、２３Ｅが合計４つ設けられている。これにより、テープカセットを安定かつバランスよく収納することができる。
四隅部のうちの３つの隅部に設けられた位置決めリブ２３Ａの詳細については、特開２００４−３０６９６６号公報に記載されている。
なお、四隅のうちの３つの隅部の位置は適宜選択することができ、また収納されるテープカセットの四隅部以外に設ける位置決めリブの数、位置、形状などは適宜選定することができる。
【００５９】
本発明のカセット収納ケースにおいては、図１〜図１５に示すように、収納されるテープカセットの少なくとも四隅部以外の位置に位置決めリブを設けているので、位置決めリブの配置、数及び形状の選択の自由度が大きくなり、位置決めリブの加工精度が多少低くても問題なくカセットを安定かつバランス良く収納することができるので、様々な態様のテープカセットに適用することができる。
【００６０】
以上の実施例では、ＤＶ用、ＨＤＶ用の小型カセット収納ケースについて説明したが、カセットの種類はこれに限られず、他のフォーマット形式のカセット収納ケースに対しても本発明は適用可能である。
【００６１】
以上、本発明のカセット収納ケースの一実施例について詳細に説明したが、本発明は前記実施例に限定されず、本発明の要旨を逸脱しない範囲で種々変更しても差し支えない。
【産業上の利用可能性】
【００６２】
本発明のカセット収納ケースは、収納されるテープカセットの少なくとも四隅部以外の位置で位置決めを行うので、位置決めリブの配置、数及び形状の自由度が大きくなり、位置決めリブの加工精度が多少低くてもカセットを安定かつバランス良く収納することができ、また、テープカセットの意匠自由度が高まり、デザイン性及び成形性に優れているので、各種記録媒体の収納ケースとして好適である。
【図面の簡単な説明】
【００６３】
【図１】図１は、本発明のカセット収納ケースの一例を示す全体平面図である。
【図２】図２は、本発明のカセット収納ケースのケース本体部分の拡大図であり、略Ｌ字形状の位置決めリブを設けた例である。
【図３】図３は、本発明のカセット収納ケースのケース本体部分の別の拡大図であり、略Ｌ字形状の位置決めリブを設けた例である。
【図４】図４は、本発明のカセット収納ケースのケース本体部分の別の拡大図であり、略Ｌ字形状の位置決めリブを設けた例である。
【図５】図５は、本発明のカセット収納ケースのケース本体部分の別の拡大図であり、略Ｔ字形状の位置決めリブを設けた例である。
【図６】図６は、本発明のカセット収納ケースのケース本体部分の別の拡大図であり、略Ｔ字形状の位置決めリブを設けた例である。
【図７】図７は、本発明のカセット収納ケースのケース本体部分の別の拡大図であり、略Ｔ字形状の位置決めリブを設けた例である。
【図８】図８は、本発明のカセット収納ケースのケース本体部分の別の拡大図であり、略Ｕ字形状の位置決めリブを設けた例である。
【図９】図９は、本発明のカセット収納ケースのケース本体部分の別の拡大図であり、略Ｕ字形状の位置決めリブを設けた例である。
【図１０】図１０は、本発明のカセット収納ケースのケース本体部分の別の拡大図であり、略Ｕ字形状の位置決めリブを設けた例である。
【図１１】図１１は、本発明のカセット収納ケースのケース本体部分の更に別の拡大図である。
【図１２】図１２は、本発明のカセット収納ケースのケース本体部分の更に別の拡大図である。
【図１３】図１３は、本発明のカセット収納ケースのケース本体部分の更に別の拡大図である。
【図１４】図１４は、本発明のカセット収納ケースのケース本体部分の更に別の拡大図である。
【図１５】図１５は、本発明のカセット収納ケースのケース本体部分の更に別の拡大図である。
【図１６】図１６は、従来のカセット収納ケースの全体斜視図である。
【図１７】図１７は、従来のカセット収納ケースの全体平面図である。
【符号の説明】
【００６４】
１０      カセット収納ケース
１１      ケース本体
１２      蓋体
１３      連結部
１４      ヒンジ
１５      ヒンジ
２１      底板部
２２ｆ、２２ｂ、２２ｓ      側壁
２３Ａ〜２３Ｈ      位置決めリブ
２４      ハブ受けリブ
２５      支持リブ
２６      嵌合リブ
２７      表示
２８      係合孔
３１      天板部
３２ｆ、３２ｓ      側壁
３３、３４      押圧リブ
３５      係合凸部
３６      規制部
３７      ストッパ
４１      フラップ板
４３      鉤部
４４      係止部
【図１】
2008105677.tif 000003
【図２】
2008105677.tif 000004
【図３】
2008105677.tif 000005
【図４】
2008105677.tif 000006
【図５】
2008105677.tif 000007
【図６】
2008105677.tif 000008
【図７】
2008105677.tif 000009
【図８】
2008105677.tif 000010
【図９】
2008105677.tif 000011
【図１０】
2008105677.tif 000012
【図１１】
2008105677.tif 000013
【図１２】
2008105677.tif 000014
【図１３】
2008105677.tif 000015
【図１４】
2008105677.tif 000016
【図１５】
2008105677.tif 000017
【図１７】
2008105677.tif 000018
【図１６】
2008105677.tif 000019